(57)【要約】【課題】  所望の吐出圧力への能力可変がより精巧に行え、圧縮機の能力可変制御が容易に行えるようにした可変容量回転圧縮機を提供する。【解決手段】  相違した容積を有する二つの圧縮室を含むハウジングと、前記二つの圧縮室内に回転可能に設けられる回転軸と、前記回転軸の回転方向によって、一つの偏心ユニットが前記回転軸に対して偏心状態に位置して圧縮動作を行う一方、ほかの偏心ユニットが前記回転軸に対して同心状態に位置して空回転を行うように、前記圧縮室内の前記回転軸の外面に嵌合される二つの偏心ユニットと、前記二つの偏心ユニットの外面にそれぞれ嵌合されるローラーピストンと、前記ローラーピストンの外面と接したままで半径方向に進退するように前記二つの圧縮室内にそれぞれ設けられるベーンと、前記二つの圧縮室のうち圧縮動作が行われる圧縮室の吸入口側に冷媒が提供されるように吸入流路を制御する流路制御ユニットとを含んでなる。【選択図】  図１
2004270689.tif 000002
【特許請求の範囲】
【請求項１】
相違した容積を有する二つの圧縮室を含むハウジングと、
前記二つの圧縮室内に回転可能に設けられる回転軸と、
前記回転軸の回転方向によって、一つの偏心ユニットが前記回転軸に対して偏心状態に位置して圧縮動作を行う間にほかの偏心ユニットが前記回転軸に対して同心状態に位置して空回転を行うように、前記圧縮室内の前記回転軸の外面に嵌合される二つの偏心ユニットと、
前記二つの偏心ユニットの外面にそれぞれ嵌合されるローラーピストンと、
前記ローラーピストンの外面と接したままで半径方向に進退するように前記二つの圧縮室内にそれぞれ設けられるベーンと、
前記二つの圧縮室のうち圧縮動作が行われる圧縮室の吸入口側に冷媒が提供されるように吸入流路を制御する流路制御ユニットとを含んでなることを特徴とする可変容量回転圧縮機。
【請求項２】
前記流路制御ユニットは、
所定長を有し、両端部が閉鎖された中空本体部と、
冷媒吸入部材と、
前記中空本体部の中央部に形成され、前記冷媒吸入部材に連結される入口と、
前記入口の両側の前記中空本体部にそれぞれ形成され、前記二つの圧縮室の吸入口に連結される第１及び第２出口と、
前記中空本体部の断面積を減少させるために前記中空本体部内に設けられ、内部空間が前記入口に連通するように側壁に開口を有し、前記出口に連通するように両端部が開放されたバルブシートと、
前記バルブシートの両端にそれぞれ設けられる第１及び第２バルブユニットとを含むことを特徴とする請求項１に記載の可変容量回転圧縮機。
【請求項３】
前記バルブシートは前記二つの出口間の距離より短く形成され、前記バルブシートの側壁に形成された開口が前記流路制御ユニットの入口に連通するように、前記中空本体部に嵌合されることを特徴とする請求項２に記載の可変容量回転圧縮機。
【請求項４】
前記可変容量回転圧縮機は連結部材をさらに含み、前記第１及び第２バルブユニットは前記連結部材を介して互いに連結されて共に移動することを特徴とする請求項３に記載の可変容量回転圧縮機。
【請求項５】
前記第１及び第２バルブユニットは前記バルブシートの両端を開閉するように前記中空本体部内で軸方向に進退することを特徴とする請求項４に記載の可変容量回転圧縮機。
【請求項６】
前記第１及び第２バルブユニットは、前記バルブシートと接触し得る薄板状のバルブプレートを含むことを特徴とする請求項５に記載の可変容量回転圧縮機。
【請求項７】
前記第１及び第２バルブユニットは、前記中空本体部内のバルブプレートを可動状態で支持する支持部材をさらに含むことを特徴とする請求項６に記載の可変容量回転圧縮機。
【請求項８】
前記支持部材は、前記中空本体部内で円滑に進退するため、前記中空本体部の内径に対応する外径を有することを特徴とする請求項７に記載の可変容量回転圧縮機。
【請求項９】
前記支持部材には多数の通孔が形成されることを特徴とする請求項８に記載の可変容量回転圧縮機。
【請求項１０】
前記第１及び第２バルブユニットは、前記二つの出口間の圧力差により、二つの出口のなかで低圧側の出口側に移動して、前記入口が前記低圧側の出口に連通するように、前記バルブシートの一端部を閉鎖することを特徴とする請求項４に記載の可変容量回転圧縮機。
【請求項１１】
前記連結部材は、衝撃を吸収する弾性部材により互いに連結される少なくとも二つの部分を含むことを特徴とする請求項４に記載の可変容量回転圧縮機。
【請求項１２】
前記弾性部材は弾性を有するゴムからなることを特徴とする請求項１１に記載の可変容量回転圧縮機。
【請求項１３】
前記二つの偏心ユニットのそれぞれは、
前記回転軸の外面に嵌合される偏心カムと、
前記偏心カムの外面に回転可能に嵌合され、その外面に前記ローラーピストンが嵌合される偏心ブッシュと、
前記偏心ブッシュの外面が前記回転軸に対して偏心状態にある位置、又は前記偏心ブッシュの外面が前記回転軸に対して同心状態にある位置に前記偏心ブッシュを固定させるロックユニットとを含むことを特徴とする請求項１に記載の可変容量回転圧縮機。
【請求項１４】
前記ロックユニットのそれぞれは、
前記回転軸又は前記偏心カムから突出する第１ロック部と、
前記第１ロック部と接触するように前記偏心ブッシュの一面から突出する第２ロック部とを含むことを特徴とする請求項１３に記載の可変容量回転圧縮機。
【請求項１５】
相違した容積を有する二つの圧縮室を含むハウジングと、
前記二つの圧縮室内に回転可能に設けられる回転軸と、
前記回転軸の回転方向によって、一つの偏心ユニットが前記回転軸に対して偏心状態に位置して圧縮動作を行う間にほかの偏心ユニットが前記回転軸に対して同心状態に位置して空回転を行うように、前記圧縮室内の前記回転軸の外面に嵌合される二つの偏心ユニットと、
前記偏心ユニットの外面と接したままで半径方向に進退するように前記二つの圧縮室内にそれぞれ設けられるベーンとを含んでなることを特徴とする可変容量回転圧縮機。
【請求項１６】
前記二つの偏心ユニットのそれぞれは、
前記回転軸の外面に嵌合される偏心カムと、
前記偏心カムの外面に回転可能に嵌合される偏心ブッシュと、
前記偏心ブッシュの外面が前記回転軸に対して偏心状態にある位置、又は前記偏心ブッシュの外面が前記回転軸に対して同心状態にある位置に前記偏心ブッシュを固定させるロックユニットとを含むことを特徴とする請求項１５に記載の可変容量回転圧縮機。
【請求項１７】
前記ロックユニットのそれぞれは、
前記回転軸又は前記偏心カムから突出する第１ロック部と、
前記第１ロック部と接触するように前記偏心ブッシュの一面から突出する第２ロック部とを含むことを特徴とする請求項１６に記載の可変容量回転圧縮機。
【請求項１８】
前記ロックユニットは、一つの偏心ユニットが前記回転軸の回転により前記回転軸に対して偏心状態に位置するとき、ほかの偏心ユニットが前記回転軸に対して同心状態に位置するように、互いに反対方向に配置されることを特徴とする請求項１７に記載の可変容量回転圧縮機。
【請求項１９】
前記各偏心ユニットの外面にはローラーピストンが回転可能に嵌合されることを特徴とする請求項１６に記載の可変容量回転圧縮機。
【請求項２０】
前記ベーンは前記弾性部材により付勢されることを特徴とする請求項１５に記載の可変容量回転圧縮機。
【請求項２１】
回転軸と、
第１容積及びサイズを有する第１圧縮室と、
第２容積及びサイズを有する第２圧縮室とを含んでなり、
前記第１及び第２圧縮室は前記回転軸の回転方向によって選択的に圧縮動作を行うことを特徴とする可変容量回転圧縮機。
【請求項２２】
前記第１圧縮室内で圧縮動作が行われる間に前記第２圧縮室内では空回転動作が行われ、前記第２圧縮室内で圧縮動作が行われる間に前記第１圧縮室内では空回転動作が行われることを特徴とする請求項２１に記載の可変容量回転圧縮機。
【発明の詳細な説明】
【技術分野】
【０００１】
本発明は回転圧縮機に係り、より詳しくは冷媒の圧縮能力を可変させ得る可変容量回転圧縮機に関するものである。
【背景技術】
【０００２】
最近の空気調和機又は冷蔵庫に適用される冷却装置は、冷却能力を可変させて要求条件に合う最適の冷却と省エネルギーの目的で、冷媒圧縮能力が可変である可変容量圧縮機を採用している趨勢である。
【０００３】
このような可変容量回転圧縮機としては、回転圧縮機のベーンを拘束するか又は解除することにより、圧縮能力を調節する回転圧縮機の技術がある（例えば、特許文献１参照）。この回転圧縮機は、内部に円筒状の圧縮室が形成されたケーシングと、該ケーシングの圧縮室内で偏心状態で回転するように設けられたローリングピストンとを備えている。また、ケーシングには、ローリングピストンの外面に接したままで半径方向に進退するベーン（原文には“スライド”と表現される）が設けられ、このベーンの側部には、ベーンの動作を拘束するか又は解除して回転圧縮機の能力を可変させるためのもので、ラチェットボルト、アーマチュア、ソレノイドを含むベーン拘束ユニットが設けられる。したがって、ソレノイドによりラチェットボルトが進退しながらベーンの動作を拘束するか又は解除することで、回転圧縮機の能力を可変させるものである。
【特許文献１】米国特許第４,３９７，６１８号明細書
【０００４】
しかし、このような形態の可変容量回転圧縮機は、単に所定時間のうちベーンを拘束して圧縮動作を防止するか、あるいは所定時間のうちベーンの拘束を解除して圧縮動作を許す制御により圧縮能力を可変させるものであるため、所望の吐出圧力に能力を精巧に可変させることが難しい欠点があった。
【０００５】
また、このような可変容量回転圧縮機は、ベーンの運動を拘束するラチェットボルトがベーンの側面から、ベーンに形成されたロック孔に進入して固定される構造であるため、圧縮機の動作の際、拘束で進退するベーンを拘束することが容易でなく信頼性が低下する問題点があった。
【発明の開示】
【発明が解決しようとする課題】
【０００６】
したがって、本発明はこのような問題点を解決するためになされたもので、その目的は、所望の吐出圧力への能力可変がより精巧に行えるだけでなく、圧縮機の能力可変制御が容易に行えるようにした可変容量回転圧縮機を提供することにある。
【課題を解決するための手段】
【０００７】
前記のような目的を達成するため、本発明は、相違した容積を有する二つの圧縮室を含むハウジングと、前記二つの圧縮室内に回転可能に設けられる回転軸と、前記回転軸の回転方向によって、一つの偏心ユニットが前記回転軸に対して偏心状態に位置して圧縮動作を行う間にほかの偏心ユニットが前記回転軸に対して同心状態に位置して空回転を行うように、前記圧縮室内の前記回転軸の外面に嵌合される二つの偏心ユニットと、前記二つの偏心ユニットの外面にそれぞれ嵌合されるローラーピストンと、前記ローラーピストンの外面と接したままで半径方向に進退するように前記二つの圧縮室内にそれぞれ設けられるベーンと、前記二つの圧縮室のうち圧縮動作が行われる圧縮室の吸入口側に冷媒が提供されるように吸入流路を制御する流路制御ユニットとを含んでなる可変容量回転圧縮機を提供する。
【０００８】
前記流路制御ユニットは、所定長を有し、両端部が閉鎖された中空本体部と、冷媒吸入部材と、前記中空本体部の中央部に形成され、前記冷媒吸入部材に連結される入口と、前記入口の両側の前記中空本体部にそれぞれ形成され、前記二つの圧縮室の吸入口に連結される第１及び第２出口と、前記中空本体部の断面積を減少させるために前記中空本体部内に設けられ、内部空間が前記入口に連通するように側壁に開口を有し、前記出口に連通するように両端部が開放されたバルブシートと、前記バルブシートの両端にそれぞれ設けられる第１及び第２バルブユニットとを含む。
【０００９】
前記バルブシートは前記二つの出口間の距離より短く形成され、前記バルブシートの側壁に形成された開口が前記流路制御ユニットの入口に連通するように、前記中空本体部に嵌合される。
【００１０】
前記可変容量回転圧縮機は連結部材をさらに含み、前記第１及び第２バルブユニットは前記連結部材を介して互いに連結されて共に移動する。
【００１１】
前記第１及び第２バルブユニットは前記バルブシートの両端を開閉するように前記中空本体部内で軸方向に進退する。
【００１２】
前記第１及び第２バルブユニットは、前記バルブシートと接触し得る薄板状のバルブプレートを含む。
【００１３】
前記第１及び第２バルブユニットは、前記中空本体部内のバルブプレートを可動状態で支持する支持部材をさらに含む。
【００１４】
前記支持部材は、前記中空本体部内で円滑に進退するため、前記中空本体部の内径に対応する外径を有する。
【００１５】
前記支持部材には多数の通孔が形成される。
【００１６】
前記第１及び第２バルブユニットは、前記二つの出口間の圧力差により、二つの出口のなかで低圧側の出口側に移動して、前記入口が前記低圧側の出口に連通するように、前記バルブシートの一端部を閉鎖する。
【００１７】
前記連結部材は、衝撃を吸収する弾性部材により互いに連結される少なくとも二つの部分を含む。
【００１８】
前記弾性部材は弾性を有するゴムからなる。
【００１９】
前記二つの偏心ユニットのそれぞれは、前記回転軸の外面に嵌合される偏心カムと、前記偏心カムの外面に回転可能に嵌合され、その外面に前記ローラーピストンが嵌合される偏心ブッシュと、前記偏心ブッシュの外面が前記回転軸に対して偏心状態にある位置、又は前記偏心ブッシュの外面が前記回転軸に対して同心状態にある位置に前記偏心ブッシュを固定させるロックユニットとを含む。
【００２０】
前記ロックユニットのそれぞれは、前記回転軸又は前記偏心カムから突出する第１ロック部と、前記第１ロック部と接触するように前記偏心ブッシュの一面から突出する第２ロック部とを含む。
【発明の効果】
【００２１】
以上のような本発明による可変容量回転圧縮機は、回転軸の回転方向の変更によって、内容積の異なる二つの圧縮室のいずれか一方のみで選択的に圧縮動作が行われるので、所望の吐出圧力への可変能力が従来のものより精巧に行えるだけでなく、圧縮機の能力可変制御が容易に行える効果がある。
【００２２】
また、本発明は、流路制御ユニットの動作により、二つの圧縮室のうち、圧縮動作が行われる側に自動に吸入流路が変更されるので、圧縮効率が高い効果がある。
【発明を実施するための最良の形態】
【００２３】
以下、本発明による好ましい実施例を添付図面に基づいて詳細に説明する。
【００２４】
図１に示すように、本発明による可変容量回転圧縮機は、密閉容器１０の内部に、回転力を発生させる駆動部２０と、該駆動部２０に回転軸２１を介して連結される圧縮部３０とを備えている。
【００２５】
駆動部２０は、密閉容器１０の内面に固定される円筒状の固定子２２と、該固定子２２の内部に回転可能に設けられ、その中心部の回転軸２１に結合される回転子２３とからなる。この駆動部２０は回転軸２１を正回転又は逆回転させる。
【００２６】
圧縮部３０は、上部及び下部にそれぞれ容積の相違した円筒状の第１圧縮室３１及び第２圧縮室３２が形成されたハウジング３３を有する。ハウジング３３は、第１圧縮室３１の上部と第２圧縮室３２の下部を閉鎖するとともに回転軸２１を回転可能に支持する二つのフランジ３５，３６と、前記第１圧縮室３１と第２圧縮室３２との間に介在されて第１圧縮室３１と第２圧縮室３２を区画する隔板３４とを含む。
【００２７】
第１圧縮室３１と第２圧縮室３２の内部の回転軸２１には、図２ないし図４に示すように、相反の構造の第１偏心ユニット４０と第２偏心ユニット５０がそれぞれ設けられ、これら第１及び第２偏心ユニット４０，５０の外面には、第１ローラーピストン３７及び第２ローラーピストン３８がそれぞれ回転可能な状態で嵌合される。また、圧縮室３１，３２の吸入口６３，６４と吐出口６５，６６間にはそれぞれローラーピストン３７，３８の外面に接したままで半径方向に進退しながら圧縮動作がなされるようにする第１ベーン６１と第２ベーン６２が設けられ、二つのベーン６１，６２はそれぞれベーンスプリング６１ａ，６２ａにより支持される。また、二つの圧縮室３１，３２の吸入口６３，６４と吐出口６５，６６はベーン６１，６２を基準として互いに反対位置に配置される。
【００２８】
二つの偏心ユニット４０，５０は、各圧縮室３１，３２に対応する位置の回転軸２１の外面に相反の方向に設けられた第１偏心カム４１及び第２偏心カム５１と、二つの偏心カム４１，５１の外面にそれぞれ回転可能に嵌合される第１偏心ブッシュ４２及び第２偏心ブッシュ５２とを含み、前記二つのローラーピストン３７，３８が二つの偏心ブッシュ４２，５２の外面に回転可能に嵌合される。
【００２９】
第１及び第２偏心ユニット４０，５０は、回転軸２１の回転方向によって偏心ブッシュ４２，５２が偏心状態で回転するか又は偏心解除状態で回転するようにするロックユニット４３，５３を有する。このロックユニット４３，５３は、それぞれ回転軸２１又は偏心カム４１，５１から突出する第１ロック部４５，５５と、第１ロック部４５，５５に係止されるように偏心ブッシュ４２，５２の一面から半円弧状に突出した第２ロック部４４，５４とからなる。また、偏心ユニット４０，５０は、回転軸２１が回転して二つの偏心ユニット４０，５０のいずれか一方が偏心状態になると、他方の偏心ユニットが偏心状態から解除されるように、第１偏心ユニット４０のロックユニット４３と第２偏心ユニット５０のロックユニット５３が相反の構造に配置される。
【００３０】
したがって、図３に示すように、回転軸２１が正方向に回転するとき、第１圧縮室３１の第１偏心ブッシュ４２の偏心状態で、回転軸２１の第１ロック部４５と第１偏心ブッシュの第２ロック部４４が当接して共に回転することにより圧縮動作が行われる。この際、図４に示すように、第２圧縮室３２の第２偏心ブッシュ５２の偏心解除状態で、ロックユニット５３により、第２偏心カム５１と第２偏心ブッシュ５２がともに回転することにより空回転が行われる。
【００３１】
図５及び図６に示すように、回転軸２１が前述した場合の反対方向に回転すると、第１圧縮室３１の第１偏心ブッシュ４２の偏心状態が解除され、第１圧縮室３１での圧縮がなされなく、第２圧縮室３２の第２偏心ブッシュ５２が偏心状態で第２偏心カム５１とともに回転することにより、第２圧縮室３２での圧縮がなされる。
【００３２】
このように、本発明は、回転軸２１の回転方向が変換されるとき、相互に反対に動作する第１偏心ユニット４０と第２偏心ユニット５０の動作により、内部容積の相違した二つの圧縮室３１，３２のいずれか一方のみで圧縮動作がなされるので、回転方向の変更だけで能力可変運転が可能であり、所望の吐出圧力への能力可変を容易に行えることになる。
【００３３】
また、図１に示すように、本発明による可変容量回転圧縮機は、アキュムレータ６９ａから吸入配管６９内に流入した冷媒が、第１圧縮室３１の吸入口６３と第２圧縮室３２の吸入口６４のうち、圧縮動作が行われる圧縮室の吸入口側にだけ吸入されるように吸入流路を可変させる流路制御ユニット７０を有する。
【００３４】
図７及び図９に示すように、流路制御ユニット７０は所定長の円筒状部材の両端が閉鎖されてなる中空の本体部７１を有する。本体部７１の中央には、前記吸入配管６９に連通される入口７２が形成され、この入口７２の反対側の両側には、第１圧縮室３１の吸入口６３と第２圧縮室３２の吸入口６４にそれぞれ連結される二つの配管６７，６８が挿着される第１出口７３と第２出口７４が形成される。
【００３５】
流路制御ユニット７０は、本体部７１の内面に段差部を形成するために設けられ、両端が開放された円筒状のバルブシート７５と、該バルブシート７５の両端の開閉のために本体部７１の両側内部に進退可能に設けられる第１バルブユニット７６及び第２バルブユニット７７と、前記二つのバルブユニット７６，７７が共に移動するように二つのバルブユニット７６，７７を連結する連結部材７８とを含む。この際、バルブシート７５は、中央部に前記入口７２に連通する開口７５ａが形成され、前記二つの出口７３，７４間の距離より短く形成され、その外面が本体部７１の内面に固着される。
【００３６】
二つのバルブユニット７６，７７は、連結部材７８の両端にそれぞれ結合され、バルブシート７５と接して流路を閉鎖する薄板状のバルブプレート７６ａ，７７ａと、該バルブプレート７６ａ，７７ａを支持するため、連結部材７８の端部に結合される支持部材７６ｂ，７７ｂとからなる。前記支持部材７６ｂ，７７ｂは、本体部７１内での円滑な進退動作のため、外径が本体部７１の内径に対応するように形成され、空気の流通のための多数の通孔７６ｃ，７７ｃを有する。
【００３７】
図７に示すように、前記流路制御ユニット７０は、第１圧縮室３１での圧縮動作が行われるとき、第１出口７３に作用する吸入力により、連結部材７８を介して連結された二つのバルブユニット７６，７７が第１出口７３側に移動して、第１出口７３側に吸入流路が形成されるようにする。この際、第２出口７４は、第２バルブユニット７７のバルブプレート７７ａが第２出口７４に近接したバルブシート７５の一端部を閉鎖するため、閉鎖される。このとき、第２圧縮室３２内で空回転が行われるにつれて、第２ベーン６２の隙間を通じて外部空気が進入して第２圧縮室３２の圧力が上昇し、第２圧縮室３２の圧力が流路制御ユニット７０の第２出口７４側に伝達されるため、二つのバルブユニット７６，７７の第１出口７３への移動がより円滑になる。
【００３８】
この場合とは反対に、第２圧縮室３２で圧縮動作が行われるとき、図８に示すように、第２出口７４に作用する吸入力により、連結部材７８を介して連結された二つのバルブユニット７６，７７が第２出口７４側に移動して、第２出口７４側に吸入流路が形成されるようにする。この際、第１圧縮室３１内で空回転が行われるにつれて、第１ベーン６１の隙間を通じて第１圧縮室３１の圧力が上昇し、第１圧縮室３１の上昇圧力が流路制御ユニット７０の第１出口７３側に伝達されるため、二つのバルブユニット７６，７７の第２出口７４への移動がより円滑になる。
【００３９】
このように、本発明は、流路制御ユニット７０の二つの出口７３，７４の圧力差により、本体部７１の内部の二つのバルブユニット７６，７７が低圧側に移動してバルブシート７５のいずれか一端を閉鎖することにより、流路制御ユニット７０の入口７２が二つの出口７３，７４のなかで低圧側の出口に連通するように、自動に吸入流路が変更されるので、別の駆動手段なしでも流路の可変が容易に行える。
【００４０】
図１０は本発明による流路制御ユニット７０のほかの実施例を示すものである。同図に示すように、本実施例は、二つのバルブユニット７６，７７を連結する連結部材７９の中間部が切断され、切断された両端部がコイルスプリング形態の弾性部材８０を介して連結されたものである。したがって、二つのバルブユニット７６，７７の進退動作により発生する衝撃及び振動が弾性部材８０により減衰される。ここで、弾性部材８０は弾性を有するゴムから構成できる。
【図面の簡単な説明】
【００４１】
【図１】本発明による可変容量回転圧縮機の構成を示す縦断面図である。
【図２】本発明による可変容量回転圧縮機の偏心ユニットの構成を示す斜視図である。
【図３】本発明による可変容量回転圧縮機の回転軸が第１方向に回転するとき、第１圧縮室での圧縮動作を示す断面図である。
【図４】本発明による可変容量回転圧縮機の回転軸が第１方向に回転するとき、第２圧縮室での空回転動作を示す断面図である。
【図５】本発明による可変容量回転圧縮機の回転軸が第２方向に回転するとき、第１圧縮室での空回転動作を示す断面図である。
【図６】本発明による可変容量回転圧縮機の回転軸が第２方向に回転するとき、第２圧縮室での圧縮動作を示す断面図である。
【図７】本発明による可変容量回転圧縮機の流路制御ユニットの第１出口が開放された状態を示す断面図である。
【図８】本発明による可変容量回転圧縮機の流路制御ユニットの第２出口が開放された状態を示す断面図である。
【図９】本発明による可変容量回転圧縮機の流路制御ユニットの構成を示す斜視図である。
【図１０】本発明による可変容量回転圧縮機の流路制御ユニットのほかの実施例の構成を示す斜視図である。
【符号の説明】
【００４２】
１０            密閉容器
２０            駆動部
２１            回転軸
２２            固定子
２３            回転子
３０            圧縮部
３１            第１圧縮室
３２            第２圧縮室
３３            ハウジング
３４            隔板
３５，３６      フランジ
３７            第１ローラーピストン
３８            第２ローラーピストン
４０            第１偏心ユニット
４１            第１偏心カム
４２            第１偏心ブッシュ
４３，５３      ロックユニット
４４，５４      第２ロック部
４５，５５      第１ロック部
５０            第２偏心ユニット
５１            第２偏心カム
５２            第２偏心ブッシュ
６１            第１ベーン
６２            第２ベーン
６３，６４      吸入口
６５，６６      吐出口
６９            吸入配管
６９ａ          アキュムレータ
７０            流路制御ユニット
７１            本体部
７２            入口
７３            第１出口
７４            第２出口
７５            バルブシート
７６            第１バルブユニット
７６ａ，７７ａ  バルブプレート
７６ｂ，７７ｂ  支持部材
７６ｃ，７７ｃ  通孔
７７            第２バルブユニット
７８            連結部材
８０            弾性部材
【図１】
2004270689.tif 000003
【図２】
2004270689.tif 000004
【図３】
2004270689.tif 000005
【図４】
2004270689.tif 000006
【図５】
2004270689.tif 000007
【図６】
2004270689.tif 000008
【図７】
2004270689.tif 000009
【図８】
2004270689.tif 000010
【図９】
2004270689.tif 000011
【図１０】
2004270689.tif 000012